(57)【要約】      （修正有）【課題】多くのカード類を収納できると共に、目的や用途に応じてカードや手帳を分類してまとめて収納できるポーチ付きカードケースを提供する。【解決手段】カードを収納可能な収納部１５と、収納部１５を覆う蓋部１４とを有するカードケース本体１と、カードケース本体１に収納可能なポーチ２とを備え、収納部１５は、一方の面に複数のカードポケット１６１が形成された仕切り部１６を備え、ポーチ２は、開口部を開閉するファスナーと、外側の一方の面にカードを収納可能な複数のカードポケットとを備えている。【選択図】図１
0003206651.tif 000002
【実用新案登録請求の範囲】
【請求項１】
カードを収納可能な収納部と、前記収納部を覆う蓋部とを有するカードケース本体と、前記収納部に収納可能なポーチとを備えたポーチ付きカードケースであって、
前記ポーチは、開口部を開閉するファスナーと、外側の一方の面にカードを収納可能な複数のカードポケットとを備えることを特徴とするポーチ付きカードケース。
【請求項２】
収納部は、内部を仕切る仕切り部を備え、
前記仕切り部は、一方の面に複数のカードポケットが形成され、
前記仕切り部のカードポケットは、蓋部が前記カードケース本体の奥側の面に取り付けられた状態において、前記仕切り部の手前側の面に設けられていることを特徴とする請求項１記載のポーチ付きカードケース。
【請求項３】
カードケース本体には、ハンドル部が設けられていることを特徴とする請求項１又は２記載のポーチ付きカードケース。
【請求項４】
ポーチのカードポケットが設けられた面が手前側になるよう、前記ポーチをカードケース本体の収納部に収納した場合に、
前記ポーチのファスナーが、左側から開くように設けられていることを特徴とする請求項１乃至３のいずれか記載のポーチ付きカードケース。
【請求項５】
複数のポーチを備え、各ポーチのファスナーは、それぞれ異なる色であることを特徴とする請求項１乃至４のいずれか記載のポーチ付きカードケース。
【請求項６】
カードケース本体の側面部は、ジャバラ状に形成されていることを特徴とする請求項１乃至５のいずれか記載のポーチ付きカードケース。
【考案の詳細な説明】
【技術分野】
【０００１】
本考案は、ポーチとカードケースとが組み合わされたポーチ付きカードケースに係り、特に、多くのカード類をまとめて収納すると共に、目的や用途に応じて、カードや手帳等をすっきり分類して収納でき、持ち運びに便利なポーチ付きカードケースに関する。
【背景技術】
【０００２】
［先行技術の説明］
従来、例えば、病院関係のカード類やお薬手帳等を分類して収納し、持ち歩くものとしては、持ち歩き用のバッグの中に入れて用いる分別用バッグ（バッグ・イン・バッグ）がある。
バッグ・イン・バッグは、大きいバッグの中で散らかりやすい収納物を整理して収納でき、必要なときにすぐに取り出せるようにするものである。
【０００３】
［関連技術］
カードを収納するポケットを備えた収納用品の従来技術としては、実開昭６１−１７４５１１号公報「化粧品収納ケース」（鐘紡株式会社、特許文献１）、特開２０１３−６６６７４号公報「回数券用ポケット付カードケース」（秋元弥生、特許文献２）がある。
【０００４】
特許文献１には、化粧品収納ケース本体又は開閉蓋のいずれか一方にカード収納室を設けた構成が記載されている。
特許文献２には、カードケースに回数券用のポケットを設けた構成が記載されている。
【先行技術文献】
【特許文献】
【０００５】
【特許文献１】実開昭６１−１７４５１１号公報
【特許文献２】特開２０１３−６６６７４号公報
【考案の概要】
【考案が解決しようとする課題】
【０００６】
しかしながら、従来の収納用品は、多くのカードを収納できると共に、例えば、保険証や診察券、お薬手帳等を家族毎に分類して収納／取り出すことができ、持ち運びしやすく、メインのバッグから取り出したときにもきちんとした印象を与えられる収納用品がないという問題点があった。
【０００７】
尚、特許文献１及び２には、多くのカード類や手帳をまとめて収納すると共に、用途等に応じて分類して収納／取り出すことができ、別のバッグの中に入れて持ち歩くだけでなく、バッグから取り出して、単体で持っても違和感なく持てるポーチ付きカードケースの記載はない。
【０００８】
本考案は、上記実情に鑑みて為されたもので、多くのカード類を収納できると共に、目的や用途に応じてカードや手帳を分類してまとめて収納／取り出すことができ、持ち歩き用のバッグから取り出したときにもきちんとした印象があるポーチ付きカードケースを提供することを目的とする。
【課題を解決するための手段】
【０００９】
上記従来例の問題点を解決するための本考案は、カードを収納可能な収納部と、収納部を覆う蓋部とを有するカードケース本体と、収納部に収納可能なポーチとを備えたポーチ付きカードケースであって、ポーチは、開口部を開閉するファスナーと、外側の一方の面にカードを収納可能な複数のカードポケットとを備えることを特徴としている。
【００１０】
また、本考案は、上記ポーチ付きカードケースにおいて、収納部は、内部を仕切る仕切り部を備え、仕切り部は、一方の面に複数のカードポケットが形成され、仕切り部のカードポケットは、蓋部がカードケース本体の奥側の面に取り付けられた状態において、仕切り部の手前側の面に設けられていることを特徴としている。
【００１１】
また、本考案は、上記ポーチ付きカードケースにおいて、カードケース本体には、ハンドル部が設けられていることを特徴としている。
【００１２】
また、本考案は、上記ポーチ付きカードケースにおいて、ポーチのカードポケットが設けられた面が手前側になるよう、ポーチをカードケース本体の収納部に収納した場合に、ポーチのファスナーが、左側から開くように設けられていることを特徴としている。
【００１３】
また、本考案は、上記ポーチ付きカードケースにおいて、複数のポーチを備え、各ポーチのファスナーは、それぞれ異なる色であることを特徴としている。
【００１４】
また、本考案は、上記ポーチ付きカードケースにおいて、カードケース本体の側面部は、ジャバラ状に形成されていることを特徴としている。
【考案の効果】
【００１５】
本考案によれば、カードを収納可能な収納部と、収納部を覆う蓋部とを有するカードケース本体と、収納部に収納可能なポーチとを備えたポーチ付きカードケースであって、ポーチは、開口部を開閉するファスナーと、外側の一方の面にカードを収納可能な複数のカードポケットとを備えるポーチ付きカードケースとしているので、多くのカードをまとめて収納できると共に、目的や用途に応じて、本体とポーチに分けて収納したり、ポーチごと取り出して利用することができる効果がある。
【００１６】
また、本考案によれば、収納部は、内部を仕切る仕切り部を備え、仕切り部は、一方の面に複数のカードポケットが形成され、仕切り部のカードポケットは、蓋部がカードケース本体の奥側の面に取り付けられた状態において、仕切り部の手前側の面に設けられている上記ポーチ付きカードケースとしているので、仕切り部へのカードの出し入れを容易にすることができる効果がある。
【００１７】
また、本考案によれば、カードケース本体には、ハンドル部が設けられている上記ポーチ付きカードケースとしているので、カードケース単体でも持ち運びしやすく、且つきちんとした印象を与えることができるという効果がある。
【００１８】
また、本考案によれば、ポーチのカードポケットが設けられた面が手前側になるよう、ポーチをカードケース本体の収納部に収納した場合に、ポーチのファスナーが、左側から開くように設けられている上記ポーチ付きカードケースとしているので、ポーチをカードケースにセットした状態で、カードの出し入れがしやすく、ファスナーの開閉もしやすいという効果がある。
【００１９】
また、本考案によれば、複数のポーチを備え、各ポーチのファスナーは、それぞれ異なる色である上記ポーチ付きカードケースとしているので、ポーチの区別が容易である効果がある。
【００２０】
また、本考案によれば、カードケース本体の側面部は、ジャバラ状に形成されている上記ポーチ付きカードケースとしているので、カードケース本体への収納物が多少多くなっても収納可能であるという効果がある。
【図面の簡単な説明】
【００２１】
【図１】本考案の実施の形態に係るポーチ付きカードケースの説明図である。
【図２】本カードケース本体の正面図である。
【図３】本カードケース本体の背面図である。
【図４】仕切り部１６の構成を示す説明図である。
【図５】ポーチ２の構成を示す説明図である。
【考案を実施するための形態】
【００２２】
本考案の実施の形態について図面を参照しながら説明する。
［実施の形態の概要］
本考案の実施の形態に係るポーチ付きカードケースは、カードを収納可能な収納部と、収納部を覆う蓋部とを有するカードケース本体と、カードケース本体に収納可能なポーチとを備え、ポーチは、開口部を開閉するファスナーと、外側の一方の面にカードを収納可能な複数のカードポケットとを備えたものであり、多くのカード類を一括してまとめて収納できると共に、例えば、保険証・診察券・お薬手帳等を家族のメンバー毎にポーチに分類して収納／取り出すことができるものである。
【００２３】
また、本考案の実施の形態に係るポーチ付きカードケースは、ハンドル部を備え、メインのバッグから取り出しても持ちやすく、きちんとした印象の女性向けの収納用品を提供できるものである。
【００２４】
［本考案の実施の形態に係るポーチ付きカードケースの構成：図１］
本考案の実施の形態に係るポーチ付きカードケースの構成について図１を用いて説明する。図１は、本考案の実施の形態に係るポーチ付きカードケースの説明図である。
図１に示すように、本考案の実施の形態に係るポーチ付きカードケース（本カードケース）は、カードケース本体１と、カードケース本体１に収納可能なポーチ２とを備え、図１では、３つのポーチ２がカードケース本体１に収納された状態を示している。
【００２５】
まず、カードケース本体１について説明する。
カードケース本体１は、正面部１１と、底面部及び背面部（図１では示されていない）と、側面部１３と、蓋部１４とを備え、内部に物品を収納する収納部１５が形成されている。
収納部１５の内部には、仕切り部１６が設けられており、収納部１５は、仕切り部１６によって、第１の収納部１５ａと第２の収納部１５ｂとに分割されている（仕切られている）。
【００２６】
第１の収納部１５ａ及び第２の収納部１５ｂは、それぞれ、複数のポーチ２を収納可能な大きさに形成されており、図１では、第２の収納部１５ｂにポーチ２が３つ収納されている。
ここでは、第１の収納部１５ａと第２の収納部１５ｂの大きさを同等としているが、異なる大きさとしてもよい。つまり、どちらか一方を他方よりも大きく（マチを広く、奥行きを長く）形成してもよい。
【００２７】
仕切り部１６は、収納部１５とほぼ同等の幅を備え、カードケース本体１の側面部１３に縫い合わされて取り付けられている。
そして、図１に示すように、蓋部１４が奥側の面に設けられている状態で、手前側となる仕切り部１６の面に複数のカードポケット１６１が形成されている。仕切り部１６の構成については後述する。
【００２８】
仕切り部１６のカードポケット１６１は、収納部１５の開口部側（上側）からカードを挿入するように形成されている。
仕切り部１６は、カードケース本体１から取り外せない構成であるため、本カードケースを持ち歩く人が使うカード類を収納するとよい。
【００２９】
蓋部１４は、図１において、カードケース本体１の奥側の面（背面部）に接続されて設けられている。蓋部１４は、カードケース本体１の背面部と一体に形成されていてもよいし、独立した部材として形成されて、カードケース本体１の背面部に取り付けられていてもよい。
本カードケースでは、正面部１１、底面部、背面部を例えばポリエステル等の布地で形成し、蓋部１４の表面を合成皮革で形成して、異なる素材を組み合わせることで、デザインのアクセントとしている。
【００３０】
蓋部１４の内側には、蓋部１４を閉めたときに蓋部１４をバッグ本体１の正面部１１に固定するためのマグネット１４１ａが設けられている。
また、バッグ本体１の正面部１１の中央付近には、マグネット１４１ａに対応して係合する別のマグネット１４１ｂが設けられており、マグネット１４１ａと別のマグネット１４１ｂでマグネットホック１４１となっている。別のマグネット１４１ｂを正面部１１の内部に設けて見えないように構成してもよい。
尚、マグネットホック１４１の代わりに、蓋部１４の内側と正面部１１の表側にスナップボタン（ホック）を設けてもよい。
【００３１】
また、側面部１３は、ジャバラ状に複数のひだが形成されている。
側面部１３をジャバラ状とすることで、カードケース本体１の収納物が少ないときにはジャバラが閉じて本体がかさばらず、収納物が多いときにはジャバラが開いて、収容量を確保できるものである。
側面部１３を、カードケース本体１の正面部１１や背面部、及び蓋部１４とは異なる材質や異なる柄の素材で形成してもよく、デザインのアクセントになるものである。
【００３２】
また、図１では示されていないが、正面部１１の裏側には、ポリエステル地のメッシュポケットが設けられている。メッシュ生地にすることで、収納物を見やすくすることができるものである。
【００３３】
更に、図１では示されていないが、カードケース本体１の蓋部１４の上側又は背面部の上部には、短めのハンドル部が設けられており、メインのバッグの中では邪魔にならず、カードケース本体１を単独で持ち歩く場合に持ちやすく、きちんとした印象を与えることができるものである。
【００３４】
［カードケース本体の正面：図２］
次に、本カードケース本体の正面について図２を用いて説明する。図２は、本カードケース本体の正面図である。
図２に示すように、カードケース本体１は略矩形であり、カードケース本体１の正面部１１はポリエステル等の布地で形成されている。また、収納部の開口部分を覆うかぶせ式の蓋部１４を備えている。蓋部１４は、背面部に取り付けられている。
【００３５】
蓋部１４の表面は合成皮革で形成され、蓋部１４の先端部は、一直線ではなく略Ｖ字型に形成されて、シャープできちんとした印象を与えるものとなっている。
そして、カードケース本体１の上部にハンドル部３２が設けられている。ハンドル部３２は、本カードケースをメインのバッグに入れたときにも邪魔にならないよう、短めのハンドルとしている。
【００３６】
［カードケース本体の背面：図３］
次に、本カードケース本体の背面について図３を用いて説明する。図３は、本カードケース本体の背面図である。
図３に示すように、カードケース本体１の背面は、背面部１２と、蓋部１４とを備えている。背面部１２は、正面部１１と同様のポリエステル等の布地で形成されている。
そして、背面部１２の内側にポケット１９が形成されており、背面部１２の上端から書類等の薄いものを収納可能としている。
また、背面部１２の上端部分の左右両端には、それぞれＤカン３１が設けられている。
【００３７】
ハンドル部３２は、合成皮革で形成されており、一端にはＤカン３３が設けられ、他端にはナスカン３４が設けられている。
そして、背面部１２の一方（ここでは向かって右側）のＤカン３１に、ハンドル部３２の一端に設けられたＤカンが係合して、ハンドル部３２がカードケース本体１に取り付けられている。
【００３８】
ハンドル部３２の他端のナスカン３４を向かって左側のＤカン３１に係合させることで、カードケース本体１の持ち手となるため、本カードケースをメインのバッグから取り出して、単体で持ち歩くときに、持ちやすくすることができるものである。
【００３９】
また、ハンドル部３２のナスカン３４を備えた端部を、メインのバッグの持ち手に回してから向かって右側のＤカン３１に係合させれば、カードケースをメインのバッグから落ちないように取り付けることができ、カードケースの紛失を防ぐことができるものである。
【００４０】
更に、ハンドル部３２を使用しないときには、ナスカン３４をどこにも係合させずに、背面部１２のポケット１９に収納するようにしてもよい。その場合でも、ハンドル部３２のＤカン３３はカードケース本体１のＤカン３１に係合しているため、ハンドル部３２を紛失するおそれがない。
【００４１】
［仕切り部の構成：図４］
次に、仕切り部１６の構成について図４を用いて説明する。図４は、仕切り部１６の構成を示す説明図である。
仕切り部１６は、カードケースの収納部１５を仕切ると共に、カードを収納するものである。図４では、仕切り部１６の正面部１１側の面を示している、
仕切り部１６は、ポリエステル等の布地で形成され、正面部１１側にカードポケット１６１が３個ずつ２列に形成されている。尚、背面部１２側にはカードポケット１６１は形成されていない。
このように、正面部１１側にカードポケット１６１を設けることで、ユーザが、カードを認識しやすく、且つ出し入れしやすいようにしている。
【００４２】
［ポーチ２の構成：図５］
次に、ポーチ２の構成について図５を用いて説明する。図５は、ポーチ２の構成を示す説明図である。
図５に示すように、ポーチ２は、ポリエステル等の素材から成り、カードケース本体１の収納部１５に収納可能な矩形形状で、薄型に形成されており、上部の開口部にファスナー（スライドファスナー）２１が設けられている。
また、ポーチ２の外側片面にカードを収納する複数のカードポケット２２が設けられている。図２の例では、３個×２列で６個のカードポケット２２が形成されている。
【００４３】
ここで、図５に示すように、ポーチ２のファスナー２１は、カードポケット２２が形成された面が手前側になる状態にした場合、左から開くように取り付けられている。すなわち、ポーチ２をカードポケット２２が手前側になるようにカードケース本体１の収納部１５に収納した場合に、ファスナー２１は左側から開けるようになっている。
このような向きに配置することにより、ユーザが、カードを見やすく、且つ取り出し易くなり、また、右利きの人にとって、ファスナー２１の開閉を容易にすることができるものである。
【００４４】
ポーチ２のファスナー２１を開けると、開口部が開口し、ポーチ２の内部に手帳や小物等を収納することができるものである。
例えば、ポーチ２の外側に診察券や保険証を収納し、内部にお薬手帳等を収納することができる。
【００４５】
ポーチ２を１つだけ用いた場合でも、カードケース本体１の仕切り部１６に収納するカードと、ポーチ２に収納するカードや手帳を、目的や用途に応じて分類することができるものである。
また、ファスナー２１の色を変えた（赤、青、黄色等）複数のポーチ２を用いれば、例えば、家族のメンバー（お父さん、おばあちゃん、子ども等）毎にポーチ２を割り当てて、家族一人一人の保険証や診察券、お薬手帳等を収納でき、病院に行くときや緊急時など、必要なときにすぐに一式揃った状態で取り出すことができるものである。
色別とすることで、どのメンバー用のポーチであるかをわかり易くするものである。
【００４６】
また、普段は、複数のポーチを本カードケースに収納しておき、誰かが病院に行くことになった場合には、必要なポーチのみをカードケースに入れて、病院に付き添うようにすれば、必要書類を忘れず、不要なものを持たずにすむものである。
付き添いが不要であれば、病院へ行く本人が、自分用のポーチ２を取り出して持っていくようにすればよい。
【００４７】
本カードケースは小ぶりで薄型であるため、バッグ・イン・バッグとして使用することもできるし、持ち手があるため、単体で持ち歩くことも可能である。
バッグから取り出した場合でも、きちんとした印象のデザインであるため、ワーキングマザーやビジネスウーマンも違和感なく持つことができるものである。
【００４８】
ここでは、家族のメンバー毎に医療関係のカードや手帳を分類して収納する例を示したが、個人の銀行カードや通帳、運転免許証、パスポート等のカードや手帳について、持ち出し先・用途・目的に応じて分類してもよい。
また、ポーチ２に習い事などの会員証や必要な小物を分類して収納してもよく、ユーザのニーズに応じて自由に使うことができるものである。
【００４９】
［考案の効果］
本考案の実施の形態に係るポーチ付きカードケースによれば、カードケース本体１が、収納部１５の内部を仕切る仕切り部１６を備え、蓋部１４を奥側とした場合に、仕切り部１６の手前側の面に複数のカードポケット１６１が形成されており、また、収納部１５に収納可能な複数のポーチ２が、開口部を開閉するファスナー２１と、外側の片面に複数のカードポケット２２を備えているので、多くのカード類をまとめて収納できると共に、カード・手帳や小物を、目的や用途に応じてポーチに分類して収納／取り出すことができる携帯用カードケースを提供できる効果がある。
【００５０】
また、本ポーチ付きカードケースによれば、カードケース本体１がハンドル部３２を備えているので、カードケース本体１をバッグから取り出した場合にも持ちやすく、きちんとした印象で女性が違和感なく持てるという効果がある。
【産業上の利用可能性】
【００５１】
本考案は、多くのカード類をまとめて収納すると共に、目的や用途に応じて、カードや手帳等をすっきり分類して収納でき、持ち運びに便利なポーチ付きカードケースに適している。
【符号の説明】
【００５２】
１...カードケース本体、  ２...ポーチ、  １１...正面部、  １２...背面部、  １３...側面部、  １４...蓋部、  １５...収納部、  １５ａ...第１の収納部、  １５ｂ...第２の収納部、  １６...仕切り部、  １９...ポケット、  ２１...ファスナー、  ２２，１６１...カードポケット、  ３１，３３...Ｄカン、  ３２...ハンドル部、  ３４...ナスカン、  １４１...マグネットホック
【図１】
0003206651.tif 000003
【図２】
0003206651.tif 000004
【図３】
0003206651.tif 000005
【図４】
0003206651.tif 000006
【図５】
0003206651.tif 000007